(57)【要約】【課題】携帯型のコード巻取り具で、部品点数が少なく製造コストを十分抑えることができ、また、巻取り対象のコードを損傷させるおそれが小さいコード巻取り具を提供する。【解決手段】コード巻取り具５は、ケース本体１０と回転体６０とから構成され、ケース本体１０は、略円形を呈し、正面側に下方に膨出した膨出部３０を有する底面部２０と、底面部２０の縁部から立設した側面部４０とを有し、回転体６０は、回転体本体６２と、３つ以上のボス部８０とを有し、回転体本体６２は、円弧状の周面を有する側壁部６６と側壁部６６の周面から周状に突出した周設部７２等を有し、ボス部８０は、その底面がケース本体１０の底面部２０の膨出部３０以外の領域に接するように形成されている。【選択図】図１
2008150190.tif 000002
【特許請求の範囲】
【請求項１】
コードを巻き取るコード巻取り具であって、
ケース本体と、回転体とを有し、
ケース本体は、
底面視において略円形を呈し、正面側に下方に膨出した膨出部を有する底面部で、該膨出部により底面部の内底面に窪みが形成された底面部と、
該底面部における正面側の膨出部が形成された部分を除く縁部から立設し、円弧状の内周面を有し、その上端に爪部が内側に突出して形成された側面部と、
を有し、
回転体は、
略円盤状を呈し、円弧状の周面を有する円盤状部と、円盤状部の周面から周状に突出して形成され、その上面が円盤状部の周面の上端よりも下方に設けられた周設部とを有する回転体本体と、
回転体本体の底面から下方に突出して形成され、その底面が底面部の膨出部以外の領域の内底面に接するように形成された３つ以上の複数のボス部で、柱状又は筒状のボス部と、
を有し、
ケース本体の爪部が回転体の周設部の上側に位置した状態で、回転体がケース本体に回転可能に装着されていることを特徴とするコード巻取り具。
【請求項２】
コードを巻き取るコード巻取り具であって、
ケース本体と、回転体とを有し、
ケース本体は、
平板状を呈し、円形の平板に切欠部を形成した形状を有する平板部と、該切欠部の領域に該平板部よりも下方に膨出する膨出部とを有する底面部で、該膨出部により底面部の内底面に窪みが形成された底面部と、
該底面部の平板部の円弧状の縁部から立設し、円弧状の内周面を有し、その上端に爪部が内側に突出して形成された側面部と、
を有し、
回転体は、
略円盤状を呈し、円弧状の周面を有する円盤状部と、円盤状部の周面から周状に突出して形成され、その上面が円盤状部の周面の上端よりも下方に設けられた周設部とを有する回転体本体と、
回転体本体の底面から下方に突出して形成され、その底面が平板部の上面に接するように形成された３つ以上の複数のボス部で、柱状又は筒状のボス部と、
を有し、
ケース本体の爪部が回転体の周設部の上側に位置した状態で、回転体がケース本体に回転可能に装着されていることを特徴とするコード巻取り具。
【請求項３】
上記回転体の円盤状部には、回転体の回転時に指を掛止するための開口部又は突起部が形成されていることを特徴とする請求項１又は２に記載のコード巻取り具。
【請求項４】
複数のボス部において、２つ以上のボス部が、常に、底面部における膨出部以外の領域の内底面に接していることを特徴とする請求項１又は２又は３に記載のコード巻取り具。
【請求項５】
ケース本体の膨出部は底面視において略扇状を呈し、底面部の円弧形状における中心位置は、底面視において、膨出部の領域内に存在することを特徴とする請求項１又は２又は３又は４に記載のコード巻取り具。
【請求項６】
ケース本体の膨出部における平板部との接続部分は、下側に行くほど領域が狭くなるテーパ状を呈していることを特徴とする請求項１又は２又は３又は４又は５に記載のコード巻取り具。
【請求項７】
ボス部が、円筒状又は円柱状であることを特徴とする請求項１又は２又は３又は４又は５又は６に記載のコード巻取り具。
【発明の詳細な説明】
【技術分野】
【０００１】
本発明は、各種電機製品等に設けられているコードの余長部分を巻き取る携帯型の巻取り具に関するものである。
【背景技術】
【０００２】
各種電機製品の電源コード等のコードは、その長さが所望の長さよりも長い場合には、該コードの余長部分が邪魔になることから、その余長部分を巻き取る巻取り具が種々考案されている。その中で、携帯型のコード巻取り具で、コードの余長部分を折り返して２本に束ねた状態で巻き取り、内部にコードを収納するタイプのものが存在する。
【０００３】
例えば、特許文献１〜４のように、ケース内にコードを掛止させるための切欠きが設けられた部材を回転自在に設け、該切欠きにコードを掛止させた後に、切欠きが設けられた部材を回転させてケース内にコードを巻き取るものが存在する。
【特許文献１】登録実用新案第３０５７９３９号公報
【特許文献２】特開２０００−４９４７２号公報
【特許文献３】特開平６−１７１８３６号公報
【特許文献４】登録実用新案第３１２１８６５号公報
【発明の開示】
【発明が解決しようとする課題】
【０００４】
しかし、特許文献１〜４のように、切欠きが設けられた部材を回転自在に設けた場合には、該部材の上側と下側とをカバーする必要から最低でも３つの部品が必要となり（例えば、特許文献１参照）、部品点数が多いことや組立工数が多いことから、製造コストを十分抑えることができない。
【０００５】
また、特許文献１〜４のように、切欠きが設けられた部材にコードを掛止させる場合には、切欠きにコードを掛止させるためにこの切欠きによりコードが損傷してしまうおそれがある。
【０００６】
また、上記従来の構成の場合には、コードを巻き取る際の巻取り操作が必ずしも容易ではないという問題があった。つまり、折り返した状態のコードを切欠きに臨ませた状態では、コードは切欠きが設けられた部材には掛止しないので、切欠きが設けられた部材をある程度回転させてコードが掛止されるまではコードの側も保持しておかなければならず、操作が容易ではない。つまり、一方の手でコードを保持するとともに巻取り具も保持しつつ、他方の手で回転させる操作が必要となり、操作が容易ではない。例えば、特許文献１の場合に、コード１５を開口部７、８に臨ませた状態では、コード１５は切りかけ部１１には掛止しないので、コード１５を切りかけ部１１に臨ませた状態でつば部５をある程度回転させ、コード１５が脱落しなくなるまで回転させるまでは、コード１５を保持しておかなければならず、一方の手でコード１５を保持するとともにコード巻取り器具本体１も保持しつつ、他方の手でつば部５を回転させる操作が必要となってしまう。
【０００７】
そこで、本発明が解決しようとする問題点は、携帯型でコードを内部に収納するタイプのコード巻取り具で、部品点数が少なく製造コストを十分抑えることができ、また、巻取り対象のコードを損傷させるおそれが小さく、さらには、コードの巻取り操作が容易なコード巻取り具を提供することを目的とするものである。
【課題を解決するための手段】
【０００８】
本発明は上記問題点を解決するために創作されたものであって、第１には、コードを巻き取るコード巻取り具であって、ケース本体と、回転体とを有し、ケース本体は、底面視において略円形を呈し、正面側に下方に膨出した膨出部を有する底面部で、該膨出部により底面部の内底面に窪みが形成された底面部と、該底面部における正面側の膨出部が形成された部分を除く縁部から立設し、円弧状の内周面を有し、その上端に爪部が内側に突出して形成された側面部と、を有し、回転体は、略円盤状を呈し、円弧状の周面を有する円盤状部と、円盤状部の周面から周状に突出して形成され、その上面が円盤状部の周面の上端よりも下方に設けられた周設部とを有する回転体本体と、回転体本体の底面から下方に突出して形成され、その底面が底面部の膨出部以外の領域の内底面に接するように形成された３つ以上の複数のボス部で、柱状又は筒状のボス部と、を有し、ケース本体の爪部が回転体の周設部の上側に位置した状態で、回転体がケース本体に回転可能に装着されていることを特徴とする。
【０００９】
上記第１の構成においては、回転体をケース本体に対して回転させて調節し、ボス部を膨出部の上側にあるように配置させた後に、コードの中間部分を折り返した状態の折り返し部分をケース本体の側面部の端部間の隙間から斜め下方に挿入し、膨出部内に案内してボス部の下側に潜り込ませ、膨出部の最深部にまで至らせた後に、コードの折り返し部分をケース本体の底面部の平板部に乗り上げた状態とさせる。その後、コードを軽く引くことによりボス部にコードを掛止させ、コードを掛止させたら、回転体を回転させることにより、コードがボス部に巻き付けられていく。このように、コードを巻き取ることにより、コードの余長部分を巻き取って、コードの余長部分が邪魔になるのを防止することができる。
【００１０】
本発明のコード巻取り具においては、ケース本体と回転体の２つの部材のみにより構成されているので、部品点数や組立てコストの点から製造コストを十分に抑えることができる。また、回転体は、ケース本体の側面部の内側に摺接しながら回転するように構成されているので、中心部に回転軸を設ける必要がなく、回転軸を設けるためのビスやネジが必要ないので、その点でも製造コストを抑えることができる。また、回転体のボス部にコードを掛止させて、複数のボス部に巻き付けていくので、コードに掛かる負荷を小さくすることができ、コードを損傷させるおそれを小さくすることができる。また、本発明のコード巻取り具では、一旦コードをボス部に掛止させたら、コードを手から放してもコードが脱落することがないので、回転体を回転する際には、コードを保持している必要がなく、コードを回転する際には、一方の手でケース本体を保持しつつ、他方の手で回転体を回転させればよいので、巻取り操作が容易である。また、中心部に回転軸を設ける必要がないので、コード巻取り具を小型化するとともに、ケース本体内の収納空間を有効に利用することができる。
【００１１】
また、第２には、コードを巻き取るコード巻取り具であって、ケース本体と、回転体とを有し、ケース本体は、平板状を呈し、円形の平板に切欠部を形成した形状を有する平板部と、該切欠部の領域に該平板部よりも下方に膨出する膨出部とを有する底面部で、該膨出部により底面部の内底面に窪みが形成された底面部と、該底面部の平板部の円弧状の縁部から立設し、円弧状の内周面を有し、その上端に爪部が内側に突出して形成された側面部と、を有し、回転体は、略円盤状を呈し、円弧状の周面を有する円盤状部と、円盤状部の周面から周状に突出して形成され、その上面が円盤状部の周面の上端よりも下方に設けられた周設部とを有する回転体本体と、回転体本体の底面から下方に突出して形成され、その底面が平板部の上面に接するように形成された３つ以上の複数のボス部で、柱状又は筒状のボス部と、を有し、ケース本体の爪部が回転体の周設部の上側に位置した状態で、回転体がケース本体に回転可能に装着されていることを特徴とする。
【００１２】
上記第２の構成においては、回転体をケース本体に対して回転させて調節し、ボス部を膨出部の上側にあるように配置させた後に、コードの中間部分を折り返した状態の折り返し部分をケース本体の側面部の端部間の隙間から斜め下方に挿入し、膨出部内に案内してボス部の下側に潜り込ませ、膨出部の最深部にまで至らせた後に、コードの折り返し部分をケース本体の底面部の平板部に乗り上げた状態とさせる。その後、コードを軽く引くことによりボス部にコードを掛止させ、コードを掛止させたら、回転体を回転させることにより、コードがボス部に巻き付けられていく。このように、コードを巻き取ることにより、コードの余長部分を巻き取って、コードの余長部分が邪魔になるのを防止することができる。
【００１３】
本発明のコード巻取り具においては、ケース本体と回転体の２つの部材のみにより構成されているので、部品点数や組立てコストの点から製造コストを十分に抑えることができる。また、回転体は、ケース本体の側面部の内側に摺接しながら回転するように構成されているので、中心部に回転軸を設ける必要がなく、回転軸を設けるためのビスやネジが必要ないので、その点でも製造コストを抑えることができる。また、回転体のボス部にコードを掛止させて、複数のボス部に巻き付けていくので、コードに掛かる負荷を小さくすることができ、コードを損傷させるおそれを小さくすることができる。また、本発明のコード巻取り具では、一旦コードをボス部に掛止させたら、コードを手から放してもコードが脱落することがないので、回転体を回転する際には、コードを保持している必要がなく、コードを回転する際には、一方の手でケース本体を保持しつつ、他方の手で回転体を回転させればよいので、巻取り操作が容易である。また、中心部に回転軸を設ける必要がないので、コード巻取り具を小型化するとともに、ケース本体内の収納空間を有効に利用することができる。
【００１４】
また、第３には、上記第１又は第２の構成において、上記回転体の円盤状部には、回転体の回転時に指を掛止するための開口部又は突起部が形成されていることを特徴とする。これにより、回転体の回転を容易に行うことができる。
【００１５】
また、第４には、上記第１から第３までのいずれかの構成において、複数のボス部において、２つ以上のボス部が、常に、底面部における膨出部以外の領域の内底面に接していることを特徴とする。よって、回転体本体が常に２つ以上のボス部により支持されるので、回転体がケース本体内でがたつくことがない。なお、請求項２において、底面部における膨出部以外の領域の内底面とは、平板部の上面であるといえる。
【００１６】
また、第５には、上記第１から第４までのいずれかの構成において、ケース本体の膨出部は底面視において略扇状を呈し、平板部の円弧形状における中心位置は、底面視において、膨出部の領域内に存在することを特徴とする。これにより、コードの折り返し部分を挿入した際に、平面視又は底面視において、コードの折り返し部分をボス部の回りに容易に配置することができ、コードをボス部に容易に掛止させることができる。
【００１７】
また、第６には、上記第１から第５までのいずれかの構成において、ケース本体の膨出部における平板部との接続部分は、下側に行くほど領域が狭くなるテーパ状を呈していることを特徴とする。これにより、コードの折り返し部分の先端を膨出部内から平板部にまで乗り上げやすくすることができ、ボス部への掛止を容易とすることができる。
【００１８】
また、第７には、上記第１から第６までのいずれかの構成において、ボス部が、円筒状又は円柱状であることを特徴とする。よって、ボス部に掛止されるコードに掛かる負荷を小さくすることができ、コードへの損傷を防止することができる。
【発明の効果】
【００１９】
本発明に基づくコード巻取り具によれば、ケース本体と回転体の２つの部材のみにより構成されているので、部品点数や組立てコストの点から製造コストを十分に抑えることができる。また、回転体は、ケース本体の側面部の内側に摺接しながら回転するように構成されているので、回転軸を設ける必要がなく、その点でも製造コストを抑えることができる。また、回転体のボス部にコードを掛止させて、複数のボス部に巻き付けていくので、コードに掛かる負荷を小さくすることができ、コードを損傷させるおそれを小さくすることができる。
【発明を実施するための最良の形態】
【００２０】
本発明においては、携帯型のコード巻取り具で、部品点数が少なく製造コストを十分抑えることができ、また、巻取り対象のコードを損傷させるおそれが小さいコード巻取り具を提供するという目的を以下のようにして実現した。
【００２１】
本発明に基づくコード巻取り具５は、ケース本体１０と、回転体６０とを有している。
【００２２】
ここで、ケース本体１０は、図１〜図９に示すように構成され、コードを巻いた状態で収納する収納空間を有し、底面部２０と、側面部４０と、正面部５０とを有している。
【００２３】
底面部２０は、底面視において、略円形を呈し、平板部２２と、膨出部３０とを有している。
【００２４】
この平板部２２は、平板状を呈し、円形状から膨出部３０の平面形状（略扇状の形状）を除いた形状を呈している。つまり、平板部２２の形状としては、円形状から膨出部３０の平面形状に切欠部を正面側に形成した形状を呈している。つまり、図８に示すように、一点鎖線のハッチングに示す領域が平板部２２となっていて、二点鎖線に示す領域が該切欠部となっている。この切欠部は略扇状の形状を呈し、平板部２２の外周をなす円弧の中心位置Ｎを含む構成となっている。なお、平板部２２の周囲の爪部４６（後述）の下方に対応した位置には開口部２４が形成されているが、これは、爪部４６を形成する際の金型の構成に基づくものである。
【００２５】
また、膨出部３０は、平板部２２の切欠部に下方に膨出するように形成され、底面視において略扇状を呈し、平板部３２と、突出壁部３４とにより下方に突出した形状を呈している。
【００２６】
平板部３２は、略扇状を呈し、平板部２２よりも下方に平板部２２と略平行（平行としてもよい）に形成されており、図７に示すように、平板部２２に設けられた切欠部（図７における膨出部３０の外周が平板部２２における切欠部となる）よりも若干小さく形成されている。
【００２７】
また、突出壁部３４は、平板部２２と平板部３２間に形成され、平板部２２の切欠部の周囲と平板部３２の周囲との間に形成され、正面壁部３４ａと、側面壁部３４ｂ、３４ｃとより、下側に行くほど領域が狭くなるテーパ状に形成されている。正面壁部３４ａは、突出壁部３４の正面を形成し、側面壁部３４ｂ、３４ｃは、突出壁部３４の両側の側面を形成している。正面壁部３４ａと、側面壁部３４ｂ、３４ｃとは、図４等に示すように、平板部２２や平板部３２に対して傾斜して形成されている。なお、この突出壁部３４が、上記「ケース本体の膨出部における平板部との接続部分」に当たる。
【００２８】
この膨出部３０の深さＳ１（つまり、平板部２２の内底面と膨出部３０の平板部３２の内底面の幅、図４参照）は、巻取り対象のコードの太さよりも大きく形成されていて、コードがボス部８０の下側に潜り込めるように形成されている。このようにして、膨出部３０により底面部２０の一部が下方に窪んで形成されている。
【００２９】
なお、平板部２２の円弧形状における中心位置Ｎは、底面視において、膨出部３０の領域内に存在している。以上のように、膨出部３０は、底面視において略扇状を呈し、また、中心位置Ｎは膨出部３０の領域内に存在して比較的広く形成されているので、コードの折り返し部分を挿入した際に、平面視又は底面視において、コードの折り返し部分をボス部の回りに容易に配置することができ、コードをボス部に容易に掛止させることができる。
【００３０】
以上のように、底面部２０は、底面視において略円形を呈し、正面側に下方に膨出した膨出部３０を有していて、該膨出部３０により底面部２０の内底面に窪みが形成されている。
【００３１】
また、側面部４０は、底面部２０の周囲から立設して形成され、側面部本体４２と、幅広部４４とを有している。
【００３２】
この側面部本体４２は、平板部２２の円弧状の周囲の縁部から立設され、円弧状に形成された板状を呈している。つまり、側面部本体４２は、長方形状の板状部材を円弧状に形成した形状となっていて、円弧状の内周面を有している。なお、この側面部本体４２は、平板部２２における切欠部が形成されている部分には形成されておらず、側面部本体４２は、平板部２２における切欠部の一方の端部から円弧状に形成されて、他方の端部にまで形成されている。つまり、側面部本体４２は、円弧における３００〜３１０度の範囲に渡って形成されている。つまり、側面部本体４２が形成されている範囲の角度α（図７参照）は、３００〜３１０度となっている。なお、側面部４０が形成されている範囲の角度も３００〜３１０度となっている。
【００３３】
また、幅広部４４は、側面部４０の正面側の両側に形成され、幅広部本体４４ａと、上面部４４ｂとから構成され、幅広部本体４４ａは、板状を呈し、側面部本体４２の端部から円弧状に外側に折り返すとともに平板状に延伸して側面部本体４２と面一に接続するように形成され、上面部４４ｂは、側面部本体４２と幅広部本体４４ａとの間の空間の上面を被覆するように形成されている。
【００３４】
このように幅広部４４が設けられていることにより、ケース本体１０の強度を強くしている。
【００３５】
また、側面部本体４２の上端には、内側に向けて複数の爪部４６が突出して形成されている。つまり、側面部本体４２の背面側の上端と、両側の側面側の上端の計３カ所に爪部４６が形成されている。両側の側面側に設けられた爪部４６は、背面側に設けられた爪部４６に対して平面視において、略１２０度の角度の位置に形成されている。つまり、３つの爪部４６は、互いに点対称となる位置に形成されている。また、爪部４６の先端の上面側の角部には、図４に示すように、Ｒ面加工が施されている。なお、爪部４６の先端の上面側の角部をＣ面加工を施したものとしてもよい。
【００３６】
なお、側面部４０は、ケース本体１０の正面側には形成されておらず、隙間が形成されている。
【００３７】
また、正面部５０は、側面部４０の正面側の両側の端部間に板状に水平に形成されていて、その正面側は直線状をなし、背面側は、膨出部３０における正面壁部３４ａの上端に合わせて円弧状に形成されている。
【００３８】
なお、上記構成のケース本体１０は、合成樹脂により一体に形成されている。
【００３９】
次に、回転体６０は、ケース本体１０に対して回転自在に設けられ、回転体本体６２と、ボス部（柱状部としてもよい）８０とを有している。
【００４０】
ここで、回転体本体６２は、略円盤状に形成され、平板部６４と、側壁部６６と、環状部６８と、周設部７２とを有している。なお、回転体本体６２における周設部７２以外の構成、すなわち、平板部６４と、側壁部６６と、環状部６８とで、特許請求の範囲にいう円盤状部が構成される。
【００４１】
平板部６４は、円形の板状を呈し、複数（具体的には３つ）の円形の開口部が形成されている。つまり、互いに点対称となる位置に３つの開口部が形成されている。
【００４２】
また、側壁部６６は、平板部６４の周端に沿って所定の高さの幅に形成されていて、鉛直方向に軸線を有する略円筒状を呈した形状を呈している。つまり、側壁部６６は、円弧状の周面を有していて、これにより、平板部６４と側壁部６６と環状部６８とから構成される円盤状部も円弧状の周面を有している。この側壁部６６の外周面と回転中心との間の距離は、爪部４６の内側の端部と回転中心との間の距離よりも若干小さく形成されていて、回転体６０の回転に支障がないように構成されている。この側壁部６６の下端の内側の角部は、Ｒ面加工が施されている。なお、側壁部６６の下端の内側の角部をＣ面加工を施したものとしてもよい。
【００４３】
また、環状部６８は、平板部６４の開口部の位置に上方に突出して形成され、円筒状を呈している。平板部６４に設けられた開口部とこの環状部６８により、開口部７０が形成され、この開口部７０が設けられていることにより、回転体６０を回転させる際に指を掛止しやすくなっている。つまり、３つの開口部７０が、互いに点対称となる位置に設けられている。
【００４４】
また、周設部７２は、側壁部６６の下端の周囲に所定幅の同一幅に横方向に周状に突出してフランジ状に形成され、この周設部７２自体の形状としては、略円環状を呈している。この周設部７２の上面は、側壁部６６の周面の上端よりも下方に設けられ、側壁部６６の周面と周設部７２の上面とで切欠部が形成され、この切欠部の位置に爪部４６が配置されることになる。また、周設部７２の底面は、側壁部６６の底面と面一になっていて、図４に示すように、側壁部６６と周設部７２とで断面略Ｌ字状を呈している。この周設部７２の外径は、ケース本体１０の側面部４０の内径よりも若干小さく形成されていて、回転体６０の回転に支障がないように形成され、また、周設部７２の外径は、爪部４６の内側の端部の位置の径よりも大きく形成されていて、ケース本体１０内に回転自在に装着された回転体６０が容易にケース本体１０から脱落しないように構成されている。また、周設部７２の先端の下面側の角部には、図４に示すように、Ｒ面加工が施されている。なお、周設部７２の先端の下面側の角部をＣ面加工を施したものとしてもよい。
【００４５】
また、ボス部８０は、回転体本体６２の底面から下方に向けて形成され、円筒状を呈している。回転体本体６２の底面には、３つのボス部８０が形成されていて、図１３に示すように、２つの開口部７０の間の位置に形成され、これら３つのボス部８０も互いに点対称となる位置に設けられている。なお、ボス部８０の先端、すなわち、下端の外側の角部には、図４に示すように、Ｃ面加工が施されている。
【００４６】
なお、このボス部８０の長さは、回転体６０をケース本体１０に取り付けた状態において、ボス部８０の底面がケース本体１０の平板部２２の上面に接した状態となり、回転体６０をケース本体１０に対して回転させた場合に、ボス部８０の底面が平板部２２の上面を摺動するように構成されている。
【００４７】
また、１つのボス部８０が丁度正面側にある場合に（図４、図６参照、１つのボス部８０が丁度正面側にある場合には、ボス部８０とケース本体１０の平板部２２の切欠部との間の距離は両側において同一であり、図６において、距離Ｓ３−１と距離Ｓ３−２は同一である）、該ボス部８０と突出壁部３４との間の距離は、巻取り対象のコードの太さよりも大きく形成されていて、例えば、該ボス部８０と突出壁部３４の背面側との間の距離Ｓ２（図４参照）は、巻取り対象のコードの太さよりも大きく形成されている。これにより、ボス部８０の下側に潜り込んだコードを平板部２２の上面に乗り上げることができるようになっている。
【００４８】
また、１つのボス部８０が丁度正面側にある場合に、該ボス部８０とケース本体１０の平板部２２の切欠部との間の距離Ｓ３（図６参照）は、巻取り対象のコードをボス部８０に掛止できるように、コードの太さよりも大きく形成されている。
【００４９】
なお、上記距離Ｓ２や距離Ｓ３は、巻取り対象のコードを挿入する際に、ボス部８０が丁度正面側にはない場合を考慮して、膨出部３０の深さＳ１よりも大きく形成するのが好ましい。
【００５０】
また、２つのボス部８０間の距離Ｓ４（図１３参照）は、巻取り対象のコードをボス部８０に掛止できるように、コードの太さよりも大きく形成されていて、膨出部３０の深さＳ１よりも大きく形成されている。
【００５１】
また、３つのボス部８０の大きさと配設位置は、３つのボス部８０のうちの少なくとも２つについてボス部８０が常にケース本体１０の平板部２２の上面（底面部２０における膨出部３０以外の領域の内底面）に接しているように形成されている。つまり、ボス部８０は、回転体本体６２を支える脚部としても機能することから、仮に、３つのボス部８０のうち２つのボス部８０が同時に膨出部３０の上方にあると、平板部２２に接するボス部８０は１つのみとなり、回転体６０をケース本体１０内において水平状態を保つことが困難となるが、本実施例においては、回転体６０が回転しても、２つのボス部８０が常にケース本体１０の平板部２２の上面に接しているので、回転体６０を水平に保つことができ、回転体６０を円滑に回転させることができる。
【００５２】
なお、ボス部８０が２つのみとすると、１つのボス部８０が膨出部３０の上側にある場合には、他の１つのボス部８０のみで回転体本体６２を支えることになるので、回転体６０ががたつくことから、ボス部８０は、３つ以上である必要がある。
【００５３】
なお、ボス部８０は円筒状であるとしたが、円柱状でもよく、円柱状の周面を有する形状であればよい。また、ボス部８０は、円筒状又は円柱状でなくても、筒状又は柱状であればよい。
【００５４】
なお、上記構成の回転体６０は、合成樹脂により一体に形成されている。
【００５５】
また、ケース本体１０と回転体６０とを組み立てた状態では、回転体６０の周設部７２が３つの爪部４６の下側に係止され、ケース本体１０内に設けられる。また、周設部７２が爪部４６の下側に係止されて、回転体６０をケース本体１０に取り付けられた状態では、ボス部８０の底面がケース本体１０の平板部２２の上面に接した状態となり、回転体６０をケース本体１０に対して回転させた場合に、ボス部８０の底面が平板部２２の上面を摺動するように構成されている。
【００５６】
ケース本体１０と回転体６０とを組み立てた状態では、回転体６０はケース本体１０の側面部４０により囲まれ、特に、３００〜３１０度の角度に渡って囲まれているので、回転体６０は、回転体６０の周設部７２が側面部４０の内側と摺接しながら、円滑に回転することができる。
【００５７】
また、コード巻取り具５の正面側には、コードの挿入口Ｌが設けられている。つまり、ケース本体１０の正面部５０と両側の幅広部４４と回転体６０で囲まれた挿入口Ｌが設けられている。
【００５８】
なお、コード巻取り具５を組み立てる際には、回転体６０をケース本体１０の上側に周設部７２の下側に各爪部４６が接するように配置し、その後、下方に押し込むようにすることにより、周設部７２が爪部４６の下側になるようにする。このようにして、回転体６０をケース本体１０内に装着し、回転体６０をケース本体１０に取り付ける。なお、回転体６０をケース本体１０に押し込む際には、周設部７２の先端の下面側の角部と、爪部４６の先端の上面側の角部とにＣ面加工が施されているので、押し込み操作がしやすくなっている。
【００５９】
上記構成のコード巻取り具５の使用状態について説明する。コード巻取り具５によりコードを巻き取る場合には、回転体６０を回転させてボス部８０の位置を調節し、１つのボス部８０を正面側にして、膨出部３０の上側にボス部８０が存在するようにする。
【００６０】
その状態で、図１６（ａ）に示すように、巻取り対象のコードＰを２つ折りに折り返した状態として、コードＰの折り返し部分を挿入口Ｌに臨ませ、図１６（ｂ）に示すように、コードＰの折り返し部分を挿入口Ｌに挿入する。なお、コードＰを挿入する際には、コードＰの先端をやや斜め下方に傾けた状態で挿入するのが好ましい。
【００６１】
コードＰを挿入すると、コードＰの折り返し部分の先端は、膨出部３０内に案内され、ボス部８０の下側に潜り込んだ状態となる（図１７参照）。その後、さらにコードＰを押し込むことにより、コードＰの先端は膨出部３０内の最深部にまで至り、さらに、平板部２２の上面に乗り上げた状態となる（図１８参照）。特に、膨出部３０の突出壁部３４はテーパ状に形成されており、膨出部３０の最深部に当たる側面壁部３４ｂと側面壁部３４ｃの間の部分も傾斜して形成されているので、コードＰの先端は容易に平板部２２に乗り上げることができる。また、コードＰの先端が平板部２２の上面に乗り上げた状態では、平面視において、ボス部８０の両側にコードＰが存在するようになり、平面視において、ボス部８０の周囲にコードＰが存在するようになる。特に、ボス部８０と突出壁部３４との間の距離は、巻取り対象のコードの太さよりも大きく形成されているので、平面視において、コードＰがボス部８０の両側に存在するようにできる。
【００６２】
そして、その状態で、コードＰを軽く引くことにより、コードＰの折り返し部分はボス部８０に掛止されることになる。特に、コードＰの折り返し部分が平板部２２に乗り上げた状態においては、ボス部８０が同じ高さにあるので、単にコードＰを手前に引くことによりコードＰを掛止させることができる。
【００６３】
コードＰのボス部８０への掛止が完了したら、回転体６０を回転させる。回転体６０を回転させる際には、開口部７０に指を入れて回転させることにより、回転体６０の回転が容易となる。回転体６０を回転させると、コードＰは、折り返した状態の２本のコードを束ねた状態で３つのボス部８０に巻き取られていく。つまり、コードＰは、図１９（ａ）に示す状態から図１９（ｂ）に示す状態なり、さらに、図１９（ｃ）に示す状態となって、３つのボス部８０に巻き取られていく。
【００６４】
以上のように、コードＰを巻き取ることにより、コードの余長部分を巻き取って、コードの余長部分が邪魔になるのを防止することができる。
【００６５】
特に、本実施例のコード巻取り具５においては、回転体６０をケース本体１０に回転自在に支持させ、回転体６０のボス部８０にコードを巻き付けてケース本体１０内に収納する構成となっていて、ケース本体１０と回転体６０の２つの部品のみから構成されているので、部品点数や組立てコストの点から製造コストを十分に抑えることができる。
【００６６】
特に、ケース本体１０の側面部４０の上端には、回転体６０を下方に規制するための爪部４６のみが設けられており、ケース本体１０内における回転体６０の姿勢は、ボス部８０により保たれるので、例えば、回転体６０を下方に規制する爪部と上方に規制する爪部の両方を上下に設ける場合に比べて構成を容易にすることができ、その点からも製造コストを抑えることができる。
【００６７】
また、回転体６０は、ケース本体１０の側面部４０の内側に摺接しながら回転するように構成されているので、回転体６０の中心部には回転軸は設けられておらず、回転軸を設けるためのビスやネジが必要ないので、これによっても、製造コストを抑えることができる。
【００６８】
また、折り返した状態のコードを円柱状のボス部８０に掛止させて、３本のボス部８０に巻き付ける構成であるので、コードに掛かる負荷を小さくすることができ、コードを損傷させるおそれを小さくすることができる。
【００６９】
また、回転体６０は、回転体６０の中心部には回転軸は設けられておらず、これにより、ボス部８０にコードを掛止しやすくなっていて、ボス部８０間同士の距離を小さくできるので、コード巻取り具５を小型化するとともに、ケース本体１０内の収納空間を有効に利用することができる。つまり、特許文献１〜４に示すように中心部に回転軸が設けられた構成（例えば、特許文献１では、中心筒ａ９、中心筒ｂ１０、円筒部６が設けられている）では、ボス部をその回りに設けようとすると、回転軸とボス部との間にコードを入れるための隙間を形成する必要があり、これにより、ボス部間同士の距離も大きくせざるを得ず、結果的に、コード巻取り具が大型化してしまうとともに、ボス部間同士の距離が大きくなることからケース本体内の収納空間を有効に利用することができないが、本実施例のコード巻取り具５の場合には、中心部に回転軸が設けられていないので、コード巻取り具５を小型化するとともに、ケース本体１０内の収納空間を有効に利用することができる。
【００７０】
また、一旦コードをボス部８０に掛止させたら、コードを手から放してもコード８０がボス部８０から容易に脱落することがないので、回転体６０を回転する際には、コードを保持している必要がなく、コードを回転する際には、一方の手でケース本体１０を保持しつつ、他方の手で回転体６０を回転させればよいので、巻取り操作が容易である。
【００７１】
なお、上記の説明において、ボス部８０及び開口部７０は３つであるとして説明したが、３つ以上であればよく、例えば、４つとしてもよい。
【００７２】
また、上記の説明において、回転体６０には、開口部７０が設けられ、この開口部７０に指を入れて回転体６０を回転させるものとして説明したが、これには限られず、平板部６４には開口部を設けずに突起部を設けてこの突起部に指を掛止させて回転させる構成としてもよい。例えば、平板部６４の上面に中心から放射状に板状の突起部を立設させて、この突起部に指を掛止させて回転させる構成としてもよい。
【００７３】
また、膨出部３０は、平板部３２と、テーパ状の突出壁部３４とを有する構成であるとして説明したが、これには限られず、例えば、ドーム状の板状に湾曲した形状としてもよい。
【図面の簡単な説明】
【００７４】
【図１】本発明の実施例に基づくコード巻取り具の構成を示す前方上方斜視図である。
【図２】本発明の実施例に基づくコード巻取り具の構成を示す後方下方斜視図である。
【図３】本発明の実施例に基づくコード巻取り具の分解斜視図である。
【図４】図１におけるＡ−Ａ断面図である。
【図５】ケース本体の上方斜視図である。
【図６】ケース本体の平面図である。
【図７】ケース本体の底面図である。
【図８】ケース本体の底面を示し、平板部２２や膨出部３０の形成領域を示す説明図である。
【図９】ケース本体の側面図である。
【図１０】ケース本体の正面図である。
【図１１】回転体の下方斜視図である。
【図１２】回転体の平面図である。
【図１３】回転体の底面図である。
【図１４】回転体の正面図である。
【図１５】回転体の側面図である。
【図１６】コード巻取り具の使用状態を示す説明図である。
【図１７】コード巻取り具の使用状態を示す説明図である。
【図１８】コード巻取り具の使用状態を示す説明図である。
【図１９】コード巻取り具の使用状態を示す説明図である。
【符号の説明】
【００７５】
５  コード巻取り具
１０  ケース本体
２０  底面部
２２、３２、６４  平板部
３０  膨出部
３４  突出壁部
４０  側面部
４２  側面部本体
４４  幅広部
４４ａ  幅広部本体
４４ｂ  上面部
４６  爪部
５０  正面部
６０  回転体
６２  回転体本体
６６  側壁部
６８  円筒状部
７０  開口部
７２  周設部
８０  ボス部
【図１】
2008150190.tif 000003
【図２】
2008150190.tif 000004
【図３】
2008150190.tif 000005
【図４】
2008150190.tif 000006
【図５】
2008150190.tif 000007
【図６】
2008150190.tif 000008
【図７】
2008150190.tif 000009
【図８】
2008150190.tif 000010
【図９】
2008150190.tif 000011
【図１０】
2008150190.tif 000012
【図１１】
2008150190.tif 000013
【図１２】
2008150190.tif 000014
【図１３】
2008150190.tif 000015
【図１４】
2008150190.tif 000016
【図１５】
2008150190.tif 000017
【図１６】
2008150190.tif 000018
【図１７】
2008150190.tif 000019
【図１８】
2008150190.tif 000020
【図１９】
2008150190.tif 000021